(57)【要約】【課題】異物を誤検出する可能性を著しく低くし、開閉体の開閉状態を高精度に検出する。【解決手段】開閉体の固定部に設けた固定側ユニットと、固定部に支持される開閉体の移動部に設けた移動側ユニットとを備える開閉検出装置であって、移動側ユニットは、所定の印加電圧に応じた電流を光電変換して発光素子を発光させる発光制御部と、発光制御部により発光された光を配光する配光部と、発光制御部及び配光部を内包し、発光制御部により発光された光が出射する出射面を有する第１の筺体とを備え、固定側ユニットは、第１の筺体の出射面を透過した光を所定方向に収光する収光部と、収光部により収光された光を受光素子に受光させる受光制御部と、収光部及び受光制御部を内包し、第１の筺体の出射面を透過した光が入射する入射面を有する第２の筺体とを備える。【選択図】図５
2011127401.tif 000002
【特許請求の範囲】
【請求項１】
開閉体の固定部に設けた固定側ユニットと、前記固定部により支持される前記開閉体の移動部に設けた移動側ユニットとを備える開閉検出装置であって、
前記移動側ユニットは、
所定の印加電圧に応じた電流を光電変換して発光素子を発光させる発光制御部と、
前記発光制御部により発光された光を配光する配光部と、
前記発光制御部及び前記配光部を内包し、前記発光制御部により発光された前記光が出射する出射面を有する第１の筺体とを備え、
前記固定側ユニットは、
前記第１の筺体の前記出射面を透過した光を所定方向に収光する収光部と、
前記収光部により収光された前記光を受光素子に受光させる受光制御部と、
前記収光部及び前記受光制御部を内包し、前記第１の筺体の前記出射面を透過した前記光が入射する入射面を有する第２の筺体とを備え、
前記発光素子により発光された前記光が前記受光素子により受光された場合、前記受光制御部は、前記開閉体が閉状態であることを検出することを特徴とする開閉検出装置。
【請求項２】
請求項１に記載の開閉検出装置であって、
前記移動側ユニットと前記固定側ユニットとが対向するように配置されている場合、前記収光部により収光された前記光は前記受光素子により受光されることを特徴とする開閉検出装置。
【請求項３】
請求項１又は２に記載の開閉検出装置であって、
前記配光部及び前記収光部は、所定の波長域の光のみを透過する材料で構成されていることを特徴とする開閉検出装置。
【請求項４】
請求項１〜３のいずれか一項に記載の開閉検出装置であって、
前記収光部は前記第２の筺体の前記光の入射面から離間された位置に配置され、かつ、当該第２の筺体の内壁は黒色で当該内壁に凹凸が設けられていることを特徴とする開閉検出装置。
【請求項５】
開閉体の固定部に設けた固定側ユニットと、前記固定部により支持される前記開閉体の移動部に設けた移動側ユニットとを備える開閉検出装置であって、
前記移動側ユニットは、
所定の印加電圧に応じた電流を光電変換して発光素子を発光させる発光制御部と、
前記開閉体が閉状態であることを示す正規の符号情報を記憶する第１の記憶部と、
前記第１の記憶部に記憶される前記符号情報を含む光信号として前記発光素子を発光させるように前記発光制御部の動作を制御する第１の制御部と、
前記第１の制御部による前記発光制御部の動作制御に基づいて発光された光を配光する配光部と、
前記発光制御部、前記第１の記憶部、前記第１の制御部及び前記配光部を内包し、前記発光された前記光が出射する出射面を有する第１の筺体とを備え、
前記固定側ユニットは、
前記開閉体が閉状態であることを示す前記正規の符号情報を記憶する第２の記憶部と、
前記第１の筺体の前記出射面を透過した光を所定方向に収光する収光部と、
前記収光部により収光された前記光を受光素子に受光させる受光制御部と、
前記第２の記憶部を参照して、前記受光制御部により受光された光が前記正規の符号情報を含む前記光信号であるか否かを検出する第２の制御部と、
前記第２の記憶部、前記収光部、前記受光制御部及び前記第２の制御部を内包し、前記第１の筺体の前記出射面を透過した前記光が入射する入射面を有する第２の筺体と、
を備えることを特徴とする開閉検出装置。
【請求項６】
請求項５に記載の開閉検出装置であって、
前記移動側ユニット及び前記固定側ユニットは、互いに無線通信可能な無線通信部をそれぞれ更に備え、
前記固定側ユニットの前記無線通信部により出力された前記正規の符号情報を含む光信号としての発光要求を取得した場合、前記第１の制御部は、前記第１の記憶部に記憶される前記正規の符号情報を含む光信号として前記発光素子を発光させるように前記発光制御部の動作を制御することを特徴とする開閉検出装置。
【請求項７】
請求項１〜６のいずれか一項に記載の開閉検出装置であって、
前記第２の筺体は、前記入射面を透過した光を当該第２の筺体内の所定方向に屈折する屈折部とを更に内包することを特徴とする開閉検出装置。
【請求項８】
請求項５〜７のいずれか一項に記載の開閉検出装置であって、
前記固定側ユニットは、
前記受光素子により受光された光の強度を電圧に変換する電圧変換部と、を更に備え、
前記第２の制御部は、前記電圧変換部により変換された前記電圧の絶対値に基づいて、前記固定側ユニット及び移動側ユニット間の通信状態を検出することを特徴とする開閉検出装置。
【請求項９】
請求項１〜８のいずれか一項に記載の開閉検出装置であって、
前記移動部は、
前記第１の筺体の前記出射面の周囲に対して所定の気流を通風する気流発生部と、
前記気流発生部により通風された前記気流を流入する流入部と、
前記流入部により流入された前記気流を流出する流出部とを備えることを特徴とする開閉検出装置。
【請求項１０】
請求項１〜９のいずれか一項に記載の開閉検出装置であって、
前記固定部は、
前記開閉体の開閉の際に、前記第１の筺体の前記出射面の周囲を掃く所定の形状を有する接触部を備えることを特徴とする開閉検出装置。
【発明の詳細な説明】
【技術分野】
【０００１】
本発明は、扉、ドア又は窓等に例示される開閉体の開閉状態を検出する開閉検出装置に関する。
【背景技術】
【０００２】
近年、家屋又はオフィスビル等における高度な安全性及び防犯性の向上を図るための対策として、扉、ドア又は窓等に例示される開閉体に、当該開閉体の開閉状態を検出するための開閉検出センサが取り付けることが少なくない。このような開閉検出センサには、リミットスイッチ又はマグネットスイッチが主に用いられてきた。
【０００３】
リミットスイッチは、接触型の検出器であり、動作対象である開閉体の動きによってアクチュエータを操作して、マイクロスイッチにアクチュエータの動きを伝達して当該開閉体の備える電気回路を開閉する機械的なスイッチである。リミットスイッチは、開閉体の位置の検出等に用いられる。
【０００４】
マグネットスイッチは、非接触型の検出器であり、リードスイッチ部と、永久磁石であるマグネット部とで構成されるスイッチである。マグネットスイッチは、リードスイッチ部がマグネット部の磁界に入ったときに接点を閉じ、マグネット部の磁界を出たときに接点を開くことにより、開閉体の開閉動作を制御する（例えば、特許文献１参照）。
【先行技術文献】
【特許文献】
【０００５】
【特許文献１】特開２００５−３６４７６号公報（段落０００５）
【発明の概要】
【発明が解決しようとする課題】
【０００６】
前述したとおり、リミットスイッチは機械的なスイッチであるため、繰り返して操作され又は数多くの衝撃を受けた場合に、破壊、損傷又は接触不良が生じる可能性が高い。特に、リミットスイッチが屋外等に配置された場合には、風、雨、又は埃等の影響を受けるため、スイッチとしての動作の信頼性が低下するという課題があった。ただし、この動作の信頼性に対する課題は、マグネットスイッチを代用することにより解決することが可能である。
【０００７】
ところが、マグネットスイッチはリミットスイッチとは異なり、マグネット部の存在の有無を、当該マグネット部の発する磁力線の磁界強度が所定の閾値未満であるか否かによって判定する。このため、悪意のある第三者が他の金属異物又は他の磁石を当該マグネットスイッチのリードスイッチ部に近接した場合には、当該マグネットスイッチが誤動作するという課題があった。
【０００８】
そこで、本発明は、前述した従来の事情に鑑みてなされたもので、その目的は、異物を誤検出する可能性を著しく低くし、開閉体の開閉状態を高精度に検出することができる開閉検出装置を提供することである。
【課題を解決するための手段】
【０００９】
本発明において、開閉検出装置は、開閉体の固定部に設けた固定側ユニットと、前記固定部に支持される前記開閉体の移動部に設けた移動側ユニットとを備える開閉検出装置であって、前記移動側ユニットは、所定の印加電圧に応じた電流を光電変換して発光素子を発光させる発光制御部と、前記発光制御部により発光された光を配光する配光部と、前記発光制御部及び前記配光部を内包し、前記発光制御部により発光された前記光が出射する出射面を有する第１の筺体とを備え、前記固定側ユニットは、前記第１の筺体の前記出射面を透過した光を所定方向に収光する収光部と、前記収光部により収光された前記光を受光素子に受光させる受光制御部と、前記収光部及び前記受光制御部を内包し、前記第１の筺体の前記出射面を透過した前記光が入射する入射面を有する第２の筺体とを備え、前記発光素子により発光された前記光が前記受光素子により受光された場合、前記受光制御部は、前記開閉体が閉状態であることを検出することを特徴とする。
【００１０】
前述した構成によれば、開閉検出装置は、第１の筺体の発光素子により発光された光が第２の筺体の受光素子により受光されるか否かに応じて開閉状態が検出されるため、他の金属又は異物を誤検出する可能性を著しく低くし、開閉体の開閉状態を高精度に検出することができる。また、第１の筺体に配光部を設けたことにより、発光された光が第１の筺体内で拡散又は反射される確率を低くすることができ、第２の筺体に入射する光量が減少することを防ぐことができる。第２の筺体に入射する光量の減少が防止されることにより、第１の筺体内で発光された光が第２の筺体で受光される確率の減少を防止することができる。更に、第２の筺体に収光部を設けたことにより、第２の筺体に入射した光を受光素子に適切に収光させることができるため、第２の筺体内で信頼性の高い光の検出が可能となる。
【００１１】
また、本発明において、開閉検出装置の前記移動側ユニットと前記固定側ユニットとが対向するように配置されている場合、前記発光素子により発光された前記光は前記受光素子により受光されることを特徴とする。
【００１２】
前述した構成によれば、開閉検出装置は、第１の筺体と第２の筺体とが対向した場合、すなわち、第１の筺体の出射面と第２の筺体の入射面とが対向した場合に、第１の筺体内の発光素子により発光された光が第２の筺体内に進入して受光素子により受光されるため、受光制御部は、開閉体が閉状態であることを検出することができる。
【００１３】
また、本発明において、開閉検出装置の前記配光部及び前記収光部は、所定の波長域の光のみを透過する材料で構成されていることを特徴とする。
【００１４】
前述した構成によれば、開閉検出装置の配光部及び収光部にフィルタの役割を行うことにより、開閉検出装置の部品点数及びスペースの削減を図ることができる。
【００１５】
また、本発明において、開閉検出装置の前記収光部は前記第２の筺体の前記光の入射面から離間された位置に配置され、かつ、当該第２の筺体の内壁は黒色で当該内壁に凹凸が設けられていることを特徴とする。
【００１６】
前述した構成によれば、西日又は照明光等の外乱光が第２の筺体の入射面を介して入射した場合でも、第２の筺体の内壁が黒色であるため当該外乱光の第２の筺体内への反射を抑制することができ、更に、当該内壁の凹凸により第２の筺体内の受光部への照射を抑制することができる。
【００１７】
また、本発明において、開閉検出装置は、開閉体の固定部に設けた固定側ユニットと、前記固定部により支持される前記開閉体の移動部に設けた移動側ユニットとを備える開閉検出装置であって、前記移動側ユニットは、所定の印加電圧に応じた電流を光電変換して発光素子を発光させる発光制御部と、前記開閉体が閉状態であることを示す正規の符号情報を記憶する第１の記憶部と、前記第１の記憶部に記憶される前記符号情報を含む光信号として前記発光素子を発光させるように前記発光制御部の動作を制御する第１の制御部と、前記第１の制御部による前記発光制御部の動作制御に基づいて発光された光を配光する配光部と、前記発光制御部、前記第１の記憶部、前記第１の制御部及び前記配光部を内包し、前記発光された前記光が出射する出射面を有する第１の筺体とを備え、前記固定側ユニットは、前記開閉体が閉状態であることを示す前記正規の符号情報を記憶する第２の記憶部と、前記第１の筺体の前記出射面を透過した光を所定方向に収光する収光部と、前記収光部により収光された前記光を受光素子に受光させる受光制御部と、前記第２の記憶部を参照して、前記受光制御部により受光された光が前記正規の符号情報を含む前記光信号であるか否かを検出する第２の制御部と、前記第２の記憶部、前記収光部、前記受光制御部及び前記第２の制御部を内包し、前記第１の筺体の前記出射面を透過した前記光が入射する入射面を有する第２の筺体と、を備えることを特徴とする。
【００１８】
前述した構成によれば、開閉体が閉状態であることを示す正規の符号情報を含めた光信号の通信を第１の筺体及び第２の筺体間で行うことにより、当該光信号の通信エリアを限定することができるだけではなく、不正な信号の傍受も防止することができる。更に、光信号による通信により、電波を用いた無線通信で開閉検出を行う場合に比べて、セキュリティのより高い開閉体の開閉検出を実現することができる。また、第１の筺体に配光部を設けたことにより、発光された光が第１の筺体内で拡散又は反射される確率を低くすることができ、第２の筺体に入射する光量が減少することを防ぐことができる。第２の筺体に入射する光量の減少が防止されることにより、第１の筺体内で発光された光が第２の筺体で受光される確率の減少を防止することができる。更に、第２の筺体に収光部を設けたことにより、第２の筺体に入射した光を受光素子に適切に収光させることができるため、第２の筺体内で信頼性の高い光の検出が可能となる。
【００１９】
また、本発明において、開閉検出装置の前記移動側ユニット及び前記固定側ユニットは、互いに無線通信可能な無線通信部をそれぞれ更に備え、前記固定側ユニットの前記無線通信部により出力された前記正規の符号情報を含む光信号としての発光要求を取得した場合、前記第１の制御部は、前記第１の記憶部に記憶される前記正規の符号情報を含む光信号として前記発光素子を発光させるように前記発光制御部の動作を制御することを特徴とする。
【００２０】
前述した構成によれば、固定側ユニットの無線通信部から光信号の発光要求が出力されて移動側ユニットの無線通信部で取得された場合のみ、移動側ユニットは正規の符号情報を含む光信号の発光制御を行えば良いため、移動側ユニットで発光制御を常時行う必要がなくなるという効果がある。
【００２１】
また、本発明において、開閉検出装置の前記第２の筺体は、前記入射面を透過した光を当該第２の筺体内の所定方向に屈折する屈折部とを更に内包することを特徴とする。
【００２２】
前述した構成によれば、第２の筺体の入射面と受光制御部とを例えば直線状の配置に設ける必要がなく、第２の筺体内の配置の設計自由度を著しく高くすることができるという効果がある。すなわち、固定側ユニットの形状及び大きさを自由に設計することが可能となり、当該固定側ユニットを小さくすることも可能となる。更に、入射面と受光制御部とを直線状に配置する必要がないため、特定方向からの外乱光の侵入を一層困難にすることもできる。
【００２３】
また、本発明において、開閉検出装置の前記固定側ユニットは、前記受光素子により受光された光の強度を電圧に変換する電圧変換部と、を更に備え、前記第２の制御部は、前記電圧変換部により変換された前記電圧の絶対値に基づいて、前記固定側ユニット及び移動側ユニット間の通信状態を検出することを特徴とする。
【００２４】
前述した構成によれば、固定側ユニット及び移動側ユニット間の通信状態が検出されるため、当該通信状態が悪いと検出された場合には、ＬＥＤ等の報知部によって開閉検出装置の保守等を保守関係者等に促すことができる。更に、通信状態の悪化による開閉検出装置の故障を防止することもできる。
【００２５】
また、本発明において、開閉検出装置の前記移動部は、前記第１の筺体の前記出射面の周囲に対して所定の気流を通風する気流発生部と、前記気流発生部により通風された前記気流を流入する流入部と、前記流入部により流入された前記気流を流出する流出部とを備えることを特徴とする。
【００２６】
前述した構成によれば、開閉体の移動部である扉又はサッシ等が開閉する度に、移動側ユニットの第１の筺体の出射面の周囲に堆積された埃等を気流によって吹き飛ばすことができるため、第１の筺体の出射面の周囲を清潔にすることにより通信状態の悪化を抑制することができる。
【００２７】
また、本発明において、開閉検出装置の前記固定部は、前記開閉体の開閉の際に、前記第１の筺体の前記出射面の周囲を掃く所定の形状を有する接触部を備えることを特徴とする。
【００２８】
前述した構成によれば、開閉検出装置の固定部に取り付けられた接触部により、開閉体の開閉の際に、第１の筺体の出射面の周囲に堆積された埃等を除去することができる。また、第１の筺体の出射面の周囲を清潔にすることにより通信状態の悪化を抑制することができる。
【発明の効果】
【００２９】
本発明に係る通信によれば、異物を誤検出する可能性を著しく低くし、開閉体の開閉状態を高精度に検出することができる。
【図面の簡単な説明】
【００３０】
【図１】第１の実施形態の開閉検出装置が取り付けられた開閉体が閉じている状態の様子の一例を示す説明図
【図２】第１の実施形態の開閉検出装置が取り付けられた開閉体が開いている状態の様子の一例を示す説明図
【図３】第１の実施形態の開閉検出装置が取り付けられた開閉体が閉じている状態の様子の別の一例を示す説明図
【図４】第１の実施形態の開閉検出装置が取り付けられた開閉体が開いている状態の様子の別の一例を示す説明図
【図５】第１の実施形態の開閉検出装置を構成する固定側ユニット及び移動側ユニットの構成及び構造を示す説明図
【図６】第１の実施形態の開閉検出装置の断面を示した断面図
【図７】第１の実施形態の開閉検出装置を構成する移動側ユニット及び固定側ユニットの内部構成を示したブロック図
【図８】第１の実施形態の開閉検出装置を構成する移動側ユニット及び固定側ユニットにおける動作の時間的な順序を示したシーケンス図
【図９】第２の実施形態の開閉検出装置を構成する移動側ユニット及び固定側ユニットの内部構成を示したブロック図
【図１０】第２の実施形態の開閉検出装置を構成する移動側ユニット及び固定側ユニットにおける動作の時間的な順序を示したシーケンス図
【図１１】固定側ユニットの筺体の内側の一部を拡大した拡大図
【図１２】固定側ユニットの筺体に導光板を挿入した様子を示す説明図
【図１３】固定側ユニットの筺体の一部に鏡面とした様子を示す説明図
【図１４】筺体内に反射面のみを有する移動側ユニットと、固定側ユニットとの動作の時間的な順序を示したシーケンス図
【図１５】フィルタ部を備える固定側ユニットと、移動側ユニットとの内部構成を示したブロック図
【図１６】固定側ユニットで受光された光信号の交流成分が抽出される様子を示した説明図
【図１７】開閉体の移動部に取り付けられた移動側ユニットと当該移動側ユニットの筺体の出射面に堆積された埃を示した断面図
【図１８】移動側ユニットの気流発生部により通風された気流の流路を示した断面図
【図１９】接触部材が取り付けられた固定側ユニットと、筺体の出射面に埃が堆積された移動側ユニットとの様子の一例を示した断面図
【図２０】接触部材が取り付けられた固定側ユニットと、筺体の出射面に埃が堆積された移動側ユニットとの様子の別の一例を示した断面図
【図２１】接触部材の形状の一例を示した説明図
【図２２】接触部材の形状の別の一例を示した説明図
【図２３】非接触で電力供給を行う開閉検出装置が取り付けられた開閉体が閉じている状態の様子の一例を示す説明図
【図２４】非接触で電力給電を行う開閉検出装置が取り付けられた開閉体が開いている状態の様子の一例を示す説明図
【図２５】非接触で供給された電力を充電する蓄電池を備えた開閉検出装置が取り付けられた開閉体が閉じている状態の様子の別の一例を示す説明図
【図２６】非接触で供給された電力を充電する蓄電池を備えた開閉検出装置が取り付けられた開閉体が開いている状態の様子の別の一例を示す説明図
【発明を実施するための形態】
【００３１】
以下、本発明の実施形態について、図面を参照して説明する。また、後述の各実施形態において、窓、ドア又は扉等に例示される開閉動作を行う物体を「開閉体」として記載する。
【００３２】
（第１の実施形態）
図１又は図２に示すように、第１の実施形態の開閉検出装置１０は、扉等に例示される開き戸タイプの開閉体Ｋに取り付けられている。図１は、第１の実施形態の開閉検出装置１０が取り付けられた開閉体Ｋが閉じている状態の様子の一例を示す説明図である。図２は、第１の実施形態の開閉検出装置１０が取り付けられた開閉体Ｋが開いている状態の様子の一例を示す説明図である。
【００３３】
第１の実施形態の開閉検出装置１０は、図１又は図２に示すように、開閉体Ｋの扉枠１００の上部に設けられた固定側ユニット３Ａと、扉枠１００に蝶番７を介して開閉自在に支持される扉２００の上部に設けられた移動側ユニット３Ｂとにより構成されている。
【００３４】
また、図３又は図４に示すように、第１の実施形態の開閉検出装置１０は、窓等に例示される引き戸タイプの開閉体Ｌに取り付けられても良い。図３は、第１の実施形態の開閉検出装置１０が取り付けられた開閉体が閉じている状態の様子の一例を示す説明図である。図４は、第１の実施形態の開閉検出装置１０が取り付けられた開閉体Ｌが開いている状態の様子の一例を示す説明図である。
【００３５】
図３又は図４において、第１の実施形態の開閉検出装置１０は、開閉体Ｌの窓枠３００の上部に設けられた固定側ユニット３Ａと、当該窓枠３００に沿ってスライド可能に構成されたサッシ４００の上部に設けられた移動側ユニット３Ｂとにより構成されている。
【００３６】
（第１の実施形態の開閉検出装置１０の構成）
第１の実施形態の開閉検出装置１０の構成について図５〜図７を参照して説明する。図５は、第１の実施形態の開閉検出装置１０を構成する固定側ユニット３Ａ及び移動側ユニット３Ｂの構成及び構造を示す説明図である。図６は、図５に示す開閉検出装置１０を平面Ｍによる断面を示した断面図である。図７は、第１の実施形態の開閉検出装置１０を構成する固定側ユニット３Ａ及び移動側ユニット３Ｂの内部構成を示したブロック図である。
【００３７】
図５に示すように、固定側ユニット３Ａは、筺体１１Ａ、収光部１２Ａ、入射面１３Ａ、受光素子１５Ａ及び受光制御部１６Ａにより構成される。また、受光素子１５Ａ及び受光制御部１６Ａは受光部１４Ａを構成する。より具体的には、固定側ユニット３Ａの筺体１１Ａは、収光部１２Ａ、受光素子１５Ａ及び受光制御部１６Ａを把持するように内包し、移動側ユニット３Ｂにより発光された光が入射する入射面１３Ａを有する。以下、移動側ユニット３Ｂにより発光された光の一例として可視光線Ｒを挙げて説明する。但し、光としては、可視光線Ｒに限定されず、可視光線等でも構わない。
【００３８】
筺体１１Ａは、円柱状または角柱状の半透明又は透明なケースであり、ガラス又はプラスチック等で構成されている。
【００３９】
収光部１２Ａは、入射面１３Ａを透過して筺体１１Ａ内を進入した可視光線Ｒの入射を受け、当該入射された可視光線Ｒを受光素子１５Ａに向けて出射するレンズであり、例えば凸レンズであることが好ましい。また、収光部１２Ａは、筺体１１Ａの入射面１３Ａから離間された位置に配置されることが好ましい。
【００４０】
入射面１３Ａは、固定側ユニット３Ａと移動側ユニット３Ｂとが対向する位置にある場合に、移動側ユニット３Ｂにより発光された可視光線Ｒが固定側ユニット３Ａの筺体１１Ａに入射する面であり、移動側ユニット３Ｂにより発光された可視光線Ｒが透過可能な材質で構成されていることが好ましい。
【００４１】
受光部１４Ａは、前述したとおり、可視光線Ｒを受光する受光素子１５Ａ（例えばフォトダイオード）と、当該受光素子１５Ａにより可視光線Ｒの受光を検出する受光制御部１６Ａとにより構成されている。受光素子１５Ａは、可視光線Ｒを受光した後、光電変換により生成された電気信号を受光制御部１６Ａへ出力する。受光制御部１６Ａは、受光素子１５Ａにより出力された電気信号を取得した場合に可視光線Ｒの受光を検出する。可視光線Ｒの受光が検出された場合、受光制御部１６Ａは、開閉体Ｋ又は開閉体Ｌは閉じている状態であると検出する。
【００４２】
移動側ユニット３Ｂは、筺体１１Ｂ、配光部１２Ｂ、出射面１３Ｂ、発光素子１５Ｂ及び発光制御部１６Ｂにより構成される。また、発光素子１５Ｂ及び発光制御部１６Ｂは発光部１４Ｂを構成する。より具体的には、移動側ユニット３Ｂの筺体１１Ｂは、配光部１２Ｂ、発光素子１５Ｂ及び発光制御部１６Ｂを把持するように内包し、固定側ユニット３Ａに向けて発光された可視光線Ｒを透過する出射面１３Ｂを有する。
【００４３】
筺体１１Ｂは、筺体１１Ａと同様に、円柱状または角柱状の半透明又は透明なケースであり、ガラス又はプラスチック等で構成されている。
【００４４】
配光部１２Ｂは、発光素子１５Ｂにより発光された可視光線Ｒの入射を受け、当該入射された可視光線Ｒを筺体１１Ｂ内に配光するレンズであり、例えば凹レンズであることが好ましい。
【００４５】
出射面１３Ｂは、固定側ユニット３Ａと移動側ユニット３Ｂとが対向する位置にある場合に、発光素子１５Ｂにより発光された可視光線Ｒが透過する面であり、当該可視光線Ｒが透過可能な材質で構成されていることが好ましい。
【００４６】
発光部１４Ｂは、前述したとおり、可視光線Ｒを発光する発光素子１５Ｂ（例えば発光ダイオード）と、当該発光素子１５Ｂにより発光される可視光線Ｒの発光を制御する発光制御部１６Ｂとにより構成されている。発光制御部１６Ｂは、当該発光制御部１６Ｂを構成する回路内で発生された所定の電圧を発光素子１５Ｂに印加する。発光素子１５Ｂは、この印加された電圧に応じた電流を光電変換して発光する。また、発光制御部１６Ｂは、発光素子１５Ｂから常時又は一定の微小時間間隔で可視光線Ｒを発光するように発光素子１５Ｂを制御する。
【００４７】
図１又は図３に示すように、固定側ユニット３Ａと移動側ユニット３Ｂとが対向する位置に配置された場合、移動側ユニット３Ｂの発光素子１５Ｂにより発光された可視光線Ｒが固定側ユニット３Ａの受光素子１５Ａに受光される。この場合、第１の実施形態の開閉検出装置１０の固定側ユニット３Ｂの受光制御部１６Ａは、当該開閉体Ｋ又は開閉体Ｌは閉じている状態であると検出する。しかし、図２又は図４に示すように、固定側ユニット３Ａと移動側ユニット３Ｂとが対向する位置に配置されない場合、移動側ユニット３Ｂの発光素子１５Ｂにより発光された可視光線Ｒは固定側ユニット３Ａの受光素子１５Ａに受光されない。この場合、第１の実施形態の開閉検出装置１０の固定側ユニット３Ａの受光制御部１６Ａは、当該開閉体Ｋ又は開閉体Ｌは開いている状態であると検出する。
【００４８】
（第１の実施形態の開閉検出装置１０の動作）
次に、第１の実施形態の開閉検出装置１０の動作について図８を参照して説明する。図８は、固定側ユニット３Ａ及び移動側ユニット３Ｂにおける動作の時間的な順序を示したシーケンス図である。
【００４９】
移動側ユニット３Ｂの発光制御部１６Ｂは、発光素子１５Ｂを制御して可視光線Ｒを発光する。より具体的には、発光制御部１６Ｂは、当該発光制御部１６Ｂを構成する回路内で発生された所定の電圧を発光素子１５Ｂに印加する。発光素子１５Ｂは、この印加された電圧に応じた電流を光電変換して発光する。
【００５０】
この発光された可視光線Ｒは、配光部１２Ｂを介して筺体１１Ｂ内に配光される。この配光された可視光線Ｒは、出射面１３Ｂを透過して当該出射面１３Ｂの面方向に対して垂直な方向に出射される（Ｓ１）。固定側ユニット３Ａの受光制御部１６Ａは、Ｓ１で移動側ユニット３Ｂから出射された可視光線Ｒが受光部１４Ａにより受光されたか否かに応じて、開閉体の開閉状態を検出する（Ｓ２）。なお、可視光線Ｒは時間的に連続して発光されても良いし、所定の時間間隔で発光されても良い。所定の時間間隔で発光する場合には、人が開閉体Ｋ又は開閉体Ｌが開かれて進入した後に閉じるまでに要する時間以下の時間間隔で発光するのが好ましい。
【００５１】
固定側ユニット３Ａ及び移動側ユニット３Ｂが互いに対向する位置に配置された場合、移動側ユニット３Ｂにより発光された可視光線Ｒが固定側ユニット３Ａにより受光されるため、開閉体Ｋ又は開閉体Ｌが閉じていると検出される。
【００５２】
以上のように、第１の実施形態の開閉検出装置１０は、開閉体Ｋの扉２００又は開閉体Ｌのサッシ４００に取り付けられる移動側ユニット３Ｂにより発光された可視光線Ｒが、開閉体Ｋの扉枠１００又は開閉体Ｌの窓枠３００に取り付けられる固定側ユニット３Ａにより受光されたか否かに応じて、開閉体Ｋ又は開閉体Ｌの開閉状態の検出が行われる。
【００５３】
従って、第１の実施形態の開閉検出装置１０は、筺体１１Ｂ内の発光素子１５Ｂにより発光された可視光線Ｒが筺体１１Ａ内の受光素子１５Ａにより受光されるか否かに応じて開閉状態が検出されるため、他の金属又は異物を誤検出する可能性を著しく低くし、開閉体の開閉状態を高精度に検出することができる。また、筺体１１Ｂに配光部１２Ｂを設けたことにより、発光された可視光線Ｒが筺体１１Ｂ内で拡散又は反射される確率を低くすることができ、筺体１１Ａに入射する光量が減少することを防ぐことができる。筺体１１Ａに入射する光量の減少が防止されることにより、筺体１１Ｂ内で発光された可視光線Ｒが筺体１１Ａで受光される確率の減少を防止することができる。更に、筺体１１Ａに収光部１２Ａを設けたことにより、筺体１１Ａに入射した可視光線Ｒを受光素子１５Ａに適切に収光させることができるため、筺体１１Ａ内で信頼性の高い光の検出が可能となる。
【００５４】
また、筺体１１Ａと筺体１１Ｂとが対向した場合、すなわち、筺体１１Ｂの出射面１３Ｂと筺体１１Ａの入射面１３Ａとが対向した場合に、筺体１１Ｂ内の発光素子１５Ｂにより発光された可視光線Ｒが筺体１１Ａ内に進入して受光素子１５Ａにより受光されるため、受光制御部１６Ａは、開閉体Ｋ又は開閉体Ｌが閉じている状態であることを高精度に検出することができる。
【００５５】
（第２の実施形態）
次に、第２の実施形態の開閉検出装置１０Ｂについて図９を参照して説明する。第２の実施形態の開閉検出装置１０Ｂが、第１の実施形態の開閉検出装置１０と異なる点は、固定側ユニット３ＡがＲＯＭ２０Ａ、ＲＡＭ２１Ａ、制御部２２Ａ及び無線通信部２３Ａを有する点、移動側ユニット３ＢがＲＯＭ２０Ｂ、ＲＡＭ２１Ｂ、制御部２２Ｂ、無線通信部２３Ｂ及び乱数発生部２４Ｂを有する点である。これらの点以外は図７に示す開閉検出装置１０の内部構成と同様であり、図９において、図７と共通する構成要素には同じ参照符号が付されている。以下、説明の都合上、移動側ユニット３Ｂ、固定側ユニット３Ａの順に説明する。
【００５６】
（第２の実施形態の開閉検出装置１０Ｂの構成）
移動側ユニット３Ｂにおいて、ＲＯＭ２０Ｂは、開閉体Ｋ又は開閉体Ｌが閉じている状態を示す正規の符号を含む正規情報Ｚ、当該正規情報Ｚを所定の暗号化アルゴリズムに基づいて暗号化するためのプログラム、及び当該暗号化アルゴリズムに関する付属情報を記憶している。ここで、所定の暗号化アルゴリズムに関する付属情報には、前述した正規情報を暗号化する際のパスワード又は電子署名等が含まれる。
【００５７】
ＲＡＭ２１Ｂは、制御部２２ＢによりＲＯＭ２０Ｂから読み出された正規情報Ｚ、暗号化するためのプログラム、及び当該暗号化するためのプログラムに関する付属情報が一時的に記憶される主記憶メモリである。
【００５８】
制御部２２Ｂは、ＣＰＵ又はマイクロコンピュータにより構成され、ＲＯＭ２０Ｂ、ＲＡＭ２１Ｂ、無線通信部２３Ｂ、乱数発生部２４及び発光制御部１６Ｂの動作を制御する。制御部２２Ｂは、ＲＯＭ２０ＢからＲＡＭ２１Ｂに読み出された正規情報Ｚを暗号化し、当該暗号化された正規情報Ｚｄを含む光信号である可視光線Ｒを発光素子１５Ｂに発光させるように発光制御部１６Ｂの動作を制御する。
【００５９】
無線通信部２３Ｂは、固定側ユニット３Ａの無線通信部２３Ａと無線で通信する。無線通信部２３Ｂは、暗号化された正規情報Ｚｄを含んだ可視光線Ｒの発光要求を固定側ユニット３Ａの無線通信部２３Ａから取得し、制御部２２Ｂに対して暗号化された正規情報Ｚｄを含んだ光信号である可視光線Ｒの発光要求を出力する。制御部２２Ｂは、暗号化された正規情報Ｚｄを含んだ光信号である可視光線Ｒを発光素子１５Ｂに発光させるように発光制御部１６Ｂの動作を制御する。また、無線通信部２３Ｂは、ＲＯＭ２０Ｂに保存されている開閉体Ｋ又は開閉体Ｌが閉じている状態を示す正規情報Ｚ、当該正規情報Ｚを所定の暗号化アルゴリズムに基づいて暗号化するためのプログラム、及び当該暗号化アルゴリズムに関する付属情報を無線で無線通信部２３Ａに送信しても良い。なお、無線通信部２３Ａ及び無線通信部２３Ｂ間の無線通信の仕様は近距離無線通信であることが好ましいが、当該仕様は特に問わない。
【００６０】
また、移動側ユニット３Ｂは乱数発生部２４Ｂを備えても良い。乱数発生部２４Ｂは、生成された乱数Ｊを、開閉体Ｋ又は開閉体Ｌが閉じている状態を示す正規情報Ｗとして制御部２２Ｂに出力する。この場合、制御部２２Ｂは、ＲＯＭ２０Ｂに予め保存されている正規情報の正規情報Ｚに代えて、乱数発生部２４Ｂにより生成された乱数Ｊを取得したうえで暗号化して暗号化された乱数Ｊｄを生成する。制御部２２Ｂは、当該暗号化された乱数Ｊｄを含んだ光信号である可視光線Ｒを発光素子１５Ｂに発光させるように発光制御部１６Ｂの動作を制御する。また、乱数発生部２４Ｂにより生成された乱数Ｊ又は当該乱数が暗号化された情報Ｊｄは、無線通信部２３Ｂを介して固定側ユニット３Ａの無線通信部２３Ａに向けて送信され、固定側ユニット３Ａ及び移動側ユニット３Ｂの間で共有される。これにより、正規情報Ｚが固定側ユニット３Ａ又は移動側ユニット３Ｂから漏えいした場合でも、開閉体Ｋ又は開閉体Ｌの開閉検出の度に生成された乱数Ｊの暗号化された情報Ｊｄが当該開閉体Ｋ又は開閉体Ｌが閉じている状態であることを示す正規情報としてセキュリティの高い開閉検出が実現可能である。
【００６１】
固定側ユニット３Ａにおいて、ＲＯＭ２０Ａは、開閉体Ｋ又は開閉体Ｌが閉じている状態を示す正規情報Ｚ、当該正規情報Ｚを所定の暗号化アルゴリズムに基づいて暗号化するためのプログラム、及び当該暗号化アルゴリズムに関する付属情報を記憶している。ここで、所定の暗号化アルゴリズムに関する付属情報には、前述した正規情報を暗号化する際のパスワード又は電子署名等が含まれる。
【００６２】
ＲＡＭ２１Ａは、制御部２２ＡによりＲＯＭ２０Ａから読み出された正規情報Ｚ、復号するためのプログラム、及び当該復号するためのプログラムに関する付属情報が一時的に記憶される主記憶メモリである。
【００６３】
制御部２２Ａは、ＣＰＵ又はマイクロコンピュータにより構成され、ＲＯＭ２０Ａ、ＲＡＭ２１Ａ、無線通信部２３Ａ及び受光制御部１６Ａの動作を制御する。制御部２２Ａは、ＲＯＭ２０Ａに予め保存されている正規情報Ｚ又はＲＡＭ２１Ａに保存されている正規情報Ｚ及び復号するためのプログラムに関する付属情報を参照して、受光素子１５Ａにより受光した可視光線Ｒである光信号が暗号化された正規情報Ｚｄを含むか否かを検出する。
【００６４】
制御部２２Ａは、受光素子１５Ａにより受光した可視光線Ｒである光信号が暗号化された正規情報Ｚｄを含むと検出した場合、開閉体Ｋ又は開閉体Ｌは閉じている状態であると検出する。また、移動側ユニット３Ｂにより出射された可視光線Ｒが受光素子１５Ａにより受光されない場合、又は受光素子１５Ａにより受光された可視光線Ｒの中に暗号化された正規情報Ｚｄが含まれていない場合には、制御部２２Ａは、開閉体Ｋ又は開閉体Ｌは開いている状態であると検出する。また、制御部２２Ａは、正規情報Ｚが暗号化された情報Ｚｄを含んだ光信号である可視光線Ｒの発光要求を生成し、無線通信部２３Ａに出力する。
【００６５】
無線通信部２３Ａは、移動側ユニット３Ｂの無線通信部２３Ｂと無線で通信する。無線通信部２３Ａは、制御部２２Ａにより生成された正規情報Ｚが暗号化された情報Ｚｄを含んだ光信号である可視光線Ｒの発光要求を取得し、この発光要求を移動側ユニット３Ｂの無線通信部２３Ｂに向けて送信する。
【００６６】
また、移動側ユニット３Ｂと固定側ユニット３Ａとの間では、正規情報Ｚは共通鍵暗号方式によって暗号化されても良いし、公開鍵暗号方式によって暗号化されても良い。前者の場合には、移動側ユニット３ＢのＲＯＭ２０Ｂと固定側ユニット３ＡのＲＯＭ２０Ａとの間には共通鍵暗号方式における同一の暗号化アルゴリズムに沿ったプログラム、及び当該共通鍵暗号方式における共通鍵が保存されていることが好ましい。
【００６７】
また、後者の場合には、移動側ユニット３ＢのＲＯＭ２０Ｂには、公開鍵暗号方式における同一の暗号化アルゴリズムに沿ったプログラム、移動側ユニット３Ｂの秘密鍵、及び固定側ユニット３Ａの公開鍵が保存されていることが好ましい。同様に、固定側ユニット３ＡのＲＯＭ２０Ａには、公開鍵暗号方式における同一の暗号化アルゴリズムに沿ったプログラム、固定側ユニット３Ａの秘密鍵、及び移動側ユニット３Ｂの公開鍵が保存されていることが好ましい。
【００６８】
（第２の実施形態の開閉検出装置１０Ｂの動作）
次に、第２の実施形態の開閉検出装置１０Ｂの動作について図１０を参照して説明する。図１０は、固定側ユニット３Ａ及び移動側ユニット３Ｂにおける動作の時間的な順序を示したシーケンス図である。
【００６９】
固定側ユニット３Ａの制御部２２Ａは、正規情報Ｚが暗号化された情報Ｚｄを含んだ光信号である可視光線Ｒの発光要求を生成し、無線通信部２３Ａに出力する。無線通信部２３Ａは、制御部２２Ａにより生成された正規情報Ｚが暗号化された情報Ｚｄを含んだ光信号である可視光線Ｒの発光要求を取得し、この発光要求を移動側ユニット３Ｂの無線通信部２３Ｂに向けて送信する（Ｓ１１）。
【００７０】
移動側ユニット３Ｂの無線通信部２３Ｂは、Ｓ１１により送信された正規情報Ｚが暗号化された情報Ｚｄを含んだ光信号である可視光線Ｒの発光要求を取得し、制御部２２Ｂに対して正規情報Ｚが暗号化された情報Ｚｄを含んだ光信号である可視光線Ｒの発光要求を出力する。制御部２２Ｂは、正規情報Ｚが暗号化された情報Ｚｄを含んだ光信号である可視光線Ｒの発光要求を取得し（Ｓ１２）、ＲＯＭ２０Ｂに予め保存されている正規情報Ｚを暗号化し、当該暗号化された情報Ｚｄを含む光信号である可視光線Ｒを発光素子１５Ｂに発光させるように発光制御部１６Ｂの動作を制御する。
【００７１】
移動側ユニット３Ｂの発光制御部１６Ｂは、正規情報Ｚが暗号化された情報Ｚｄを含んだ光信号である可視光線Ｒを発光素子１５Ｂに発光させるように制御し、発光素子１５Ｂは当該可視光線Ｒを出射する（Ｓ１３）。具体的には、発光制御部１６Ｂは、当該発光制御部１６Ｂを構成する回路内で発生された所定の電圧を発光素子１５Ｂに印加する。発光素子１５Ｂは、この印加された電圧に応じた電流を光電変換して正規情報Ｚが暗号化された情報Ｚｄを含む光信号である可視光線Ｒを発光する。
【００７２】
この発光された可視光線Ｒは、配光部１２Ｂを介して筺体１１Ｂ内に配光される。この配光された可視光線Ｒは、出射面１３Ｂを透過して当該出射面１３Ｂの面方向に対して垂直な方向に出射される（Ｓ１３）。固定側ユニット３Ａの制御部２２Ａは、移動側ユニット３Ｂの発光素子１５Ｂにより発光された光信号である可視光線Ｒが受光素子１５Ａにより受光されたか否かに応じて、開閉体Ｋ又は開閉体Ｌの開閉状態を検出する（Ｓ１４）。すなわち、制御部２２Ａは、ＲＯＭ２０Ａに予め保存されている正規情報Ｚ、又はＲＡＭ２１Ａに保存されている正規情報Ｚを参照して、受光素子１５Ａにより受光した可視光線Ｒである光信号が暗号化された正規情報Ｚｄを含むか否かを検出する。
【００７３】
制御部２２Ａは、受光素子１５Ａにより受光した可視光線Ｒである光信号が暗号化された正規情報Ｚｄを含むと検出した場合、開閉体Ｋ又は開閉体Ｌは閉じている状態であると検出する。また、移動側ユニット３Ｂにより出射された可視光線Ｒが受光素子１５Ａにより受光されない場合、又は受光素子１５Ａにより受光された可視光線Ｒの中に暗号化された正規情報Ｚｄが含まれていない場合には、制御部２２Ａは、開閉体Ｋ又は開閉体Ｌは開いている状態であると検出する。
【００７４】
なお、可視光線Ｒは連続して発光しても良いし、所定の時間間隔で発光しても良い。所定の時間間隔で発光する場合には、人が開閉体Ｋ又は開閉体Ｌを開いて進入した後に閉じるまでに要する時間以下の時間間隔で発光するのが好ましい。
【００７５】
以上のように、第２の実施形態の開閉検出装置１０Ｂは、開閉体Ｋの扉枠１００又は開閉体Ｌの窓枠３００に取り付けられた固定側ユニット３Ａにより無線で送信された正規情報Ｚが暗号化された情報Ｚｄを含む光信号である可視光線Ｒの発光要求に従って、扉２００又は開閉体Ｌのサッシ４００に取り付けられる移動側ユニット３Ｂが当該可視光線Ｒの発光を行う。この発光された可視光線Ｒが開閉体Ｋの扉枠１００又は開閉体Ｌの窓枠３００に取り付けられる固定側ユニット３Ａにより受光され、かつ、当該受光された可視光線Ｒの光信号の中に暗号化された正規情報Ｚｄが含まれているか否かに応じて、開閉体Ｋ又は開閉体Ｌの開閉状態の検出が行われる。
【００７６】
従って、第２の実施形態の開閉検出装置１０Ｂは、閉体が閉状態であることを示す正規の符号情報を含めた光信号の通信を第１の筺体及び第２の筺体間で行うことにより、当該光信号の通信エリアを限定することができるだけではなく、不正な信号の傍受も防止することができる。更に、光信号による通信により、電波を用いた無線通信で開閉検出を行う場合に比べて、セキュリティのより高い開閉体の開閉検出を実現することができる。また、第１の筺体に配光部を設けたことにより、発光された光が第１の筺体内で拡散又は反射される確率を低くすることができ、第２の筺体に入射する光量が減少することを防ぐことができる。第２の筺体に入射する光量の減少が防止されることにより、第１の筺体内で発光された光が第２の筺体で受光される確率の減少を防止することができる。更に、第２の筺体に収光部を設けたことにより、第２の筺体に入射した光を受光素子に適切に収光させることができるため、第２の筺体内で信頼性の高い光の検出が可能となる。
【００７７】
また、固定側ユニットの無線通信部から光信号の発光要求が出力されて移動側ユニットの無線通信部で取得された場合のみ、移動側ユニットは正規の符号情報を含む光信号の発光制御を行えば良いため、移動側ユニットで発光制御を常時行う必要がなくなるという効果がある。
【００７８】
（変形例）
以下、前述した各実施形態の開閉検出装置１０、１０Ｂの変形例について説明する。例えば、本発明の開閉検出装置１０、１０Ｂの配光部１２Ｂ及び収光部１２Ａは、所定の波長域の光のみを透過する材料で構成されていることが好ましい。ここでいう所定の波長域とは、搭載する発光素子（赤外線ＬＥＤ等）のピーク発光波長、及び受光素子(フォトダイオード等)のピーク感度波長から設定される波長の範囲を示す。これにより、開閉検出装置１０，１０Ｂの配光部１２Ｂ及び収光部１２Ａにフィルタの役割を行うことにより、開閉検出装置１０、１０Ｂの部品点数及びスペースの削減を図ることができる。
【００７９】
また、図１１に示すように、本発明の開閉検出装置１０、１０Ｂは、固定側ユニット３Ａの筺体１１Ａの内壁は黒色で当該内壁に凹凸の形状が設けられても良い。図１１は、固定側ユニット３Ａの筺体１１Ａの所定の範囲Ｘにおける内側の一部を拡大した拡大図である。これにより、西日又は照明光等の外乱光が筺体１１Ａの入射面１３Ａを介して入射した場合でも、筺体Ａ１１の内壁が黒色であるため当該外乱光の筺体１１Ａ内への反射を抑制することができ、更に、当該内壁の凹凸の形状により筺体１１Ａ内の受光部１４Ａへの照射を抑制することができる。
【００８０】
また、本発明の開閉検出装置１０、１０Ｂの筺体１１Ａは、図１２又は図１３に示すように、入射面１３Ａを透過した可視光線Ｒを当該筺体１１Ａ内の所定方向に屈折する屈折部を把持するように内包しても良い。図１２は、固定側ユニット３Ａの筺体１１Ａに導光板２５Ａを取り付けた様子を示す説明図である。図１３は、固定側ユニット３Ａの筺体１１Ａの一部に鏡２６Ａにした様子を示す説明図である。
【００８１】
図１２において、導光板２５Ａは、筺体１１Ａの入射面１３Ａを透過した可視光線Ｒが導光板２５Ａの内部で反射されて受光素子１５Ａに受光されるように把持されるように内包されている。また、図１３において、鏡２６Ａは、筺体１１Ａの入射面１３Ａを透過した可視光線Ｒが鏡２６Ａで反射されて収光部１２Ａを介して受光素子１５Ａに受光されるように把持されるように内包されている。これにより、筺体１１Ａの入射面１３Ａと受光素子１５Ａとを例えば直線状の配置に設ける必要がなく、固定側ユニット３Ａの設計自由度が著しく高くすることができるという効果がある。すなわち、固定側ユニット３Ａの形状及び大きさを自由に設計することが可能となり、当該固定側ユニット３Ａを小さくすることも可能となる。更に、入射面１３Ａと受光素子１５Ａとを直線状に配置する必要がないため、特定方向からの外乱光の侵入を一層困難にすることもできる。
【００８２】
また、図１４に示すように、本発明の開閉検出装置１０、１０Ｂの固定側ユニット３Ａが前述の各実施形態において移動側ユニット３Ｂが備える発光素子１５Ｂ及び発光制御部１６Ｂと同様の構成を備え、当該固定側ユニット３Ａ自らが発光した可視光線Ｒの受光の有無に応じて、開閉状態を検出しても良い。例えば、発光された可視光線Ｒが筺体１１Ａから出射され（Ｓ２１）、反射面のみを備える移動側ユニット３Ｂの筺体１１Ｂ内で反射された可視光線Ｒを受光した場合に限って（Ｓ２２）、開閉体Ｋ又は開閉体Ｌの開閉検出が行われる（Ｓ２３）。図１４は、筺体１１Ｂ内に反射面のみを有する移動側ユニット３Ｂと、固定側ユニット３Ａとの動作の時間的な順序を示したシーケンス図である。この場合、移動側ユニット３Ｂには、図５及び図７に示す構成を備える必要は一切無く、鏡面等の反射面のみを筺体１１Ｂ内に備えるだけで良い。このため、開閉検出装置１０、１０Ｂの部品点数を削減することができると共に、前述した各実施形態に比べて更に消費電力を低くすることができる。
【００８３】
また、本発明の開閉検出装置１０、１０Ｂの固定側ユニット３Ａは、受光素子１５Ａにより受光された可視光線Ｒの信号強度を電圧に変換する電圧変換部を更に備えても良い。この場合、固定側ユニット３Ａの制御部２２Ａは、当該電圧変換部により変換された前記電圧の絶対値に基づいて、固定側ユニット３Ａ及び移動側ユニット３Ｂ間の通信状態を検出する。これにより、固定側ユニット３Ａ及び移動側ユニット３Ｂ間の通信状態が検出されるため、当該通信状態が悪いと検出された場合には、図示しないＬＥＤ等の報知部によって開閉検出装置１０、１０Ｂの保守等を保守関係者等に促すことができる。更に、通信状態の悪化による開閉検出装置１０、１０Ｂの故障を防止することもできる。
【００８４】
また、本発明の開閉検出装置１０、１０Ｂは、図１５に示すように、固定側ユニット３Ａの受光素子１５Ａにより受光された可視光線Ｒである光信号に含まれる直流成分を除去して交流成分を抽出するフィルタ部３０Ａを備えても良い。図１５は、フィルタ部３０Ａを備える固定側ユニットと、移動側ユニットとの内部構成を示したブロック図である。ここで、フィルタ部３０Ａには、例えば、固定側ユニット３Ａの受光素子１５Ａにより受光された可視光線Ｒである光信号に含まれる直流成分を除去するためのコンデンサである。フィルタ部３０Ａにより当該直流成分が除去された様子を図１６に示す。図１６は、固定側ユニットで受光された光信号の交流成分が抽出される様子を示した説明図である。これにより、西日又は照明光等の外乱光の影響を軽減し、必要な信号のみを抽出することで信頼性の高い光信号の通信が可能となる。
【００８５】
以上、添付図面を参照しながら各種の実施形態について説明したが、本発明の表示器はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８６】
前述した各実施形態においては、移動側ユニット３Ｂが可視光線Ｒを発光し固定側ユニット３Ａが当該可視光線Ｒを受光したか否かに応じて開閉体Ｋ又は開閉体Ｌの開閉検出を行う旨を説明した。しかし、反対に、固定側ユニット３Ａが可視光線Ｒを発光し移動側ユニット３Ｂが当該可視光線Ｒを受光したか否かに応じて開閉体Ｋ又は開閉体Ｌの開閉検出を行うようにしても良い。この場合には、固定側ユニット３Ａと移動側ユニット３Ｂがそれぞれ備える構成は、図５又は図７において反対となる。
【００８７】
また、前述した各実施形態においては、移動側ユニット３Ｂが可視光線Ｒを発光し固定側ユニット３Ａが当該可視光線Ｒを受光したか否かに応じて開閉体Ｋ又は開閉体Ｌの開閉検出を行う旨を説明した。しかし、移動側ユニット３Ｂが可視光線Ｒを発光し固定側ユニット３Ａが当該可視光線Ｒを受光した場合であって、その後、固定側ユニット３Ａが可視光線Ｒを発光し移動側ユニット３Ｂが当該可視光線Ｒを受光した確認結果を移動側ユニット３Ｂから取得した場合に限って、固定側ユニット３Ａが開閉体Ｋ又は開閉体Ｌの開閉検出を行っても良い。この場合には、固定側ユニット３Ａは、図５又は図７に示す移動側ユニット３Ｂの備える構成を全て含み、同様に、移動側ユニット３Ｂは、図５又は図７に示す固定側ユニット３Ａの備える構成を全て含む。
【００８８】
また、本発明の開閉検出装置１０、１０Ｂは、図１７に示すように、開閉体Ｋの扉２００又は開閉体Ｌのサッシ４００に、筺体１１Ｂの入射面１３Ｂの周囲に対して所定の気流を通風する気流発生部と、この気流発生部により通風された前記気流を流入する流入部３２と、前記流入部３２により流入された前記気流を流出する流出部３３とが設けられても良い。図１７は、開閉体の移動部に取り付けられた移動側ユニットと当該移動側ユニットの筺体の出射面に堆積された埃を示した断面図である。図１８は、移動側ユニット３Ｂの気流発生部により通風された気流の流路を示した断面図である。図１７に示すように、開閉検出装置１０、１０Ｂを長期間使用した場合には、移動側ユニット３Ｂと当該移動側ユニット３Ｂの筺体１１Ｂの出射面１３Ｂの周囲に埃３１が堆積される。これにより、図１８に示すように、移動側ユニット３Ｂの筺体１１Ｂの出射面１３Ｂの周囲に堆積された埃３１等を当該開閉体Ｋ又は開閉体Ｌの開閉の度に気流によって吹き飛ばすことができるため、筺体１１Ｂの出射面１３Ｂの周囲を清潔にすることにより通信状態の悪化を抑制することができる。
【００８９】
また、本発明の開閉検出装置１０、１０Ｂは、図１９又は図２０に示すように、開閉体Ｋ又は開閉体Ｌの開閉の際に、移動側ユニット３Ｂの筺体１１Ｂの出射面１３Ｂの周囲を掃く接触部４０を固定側ユニット３Ａの外側に取り付けられても良い。図１９は、接触部材４０が取り付けられた固定側ユニット３Ａと、筺体１１Ｂの出射面１３Ｂに埃３１が堆積された移動側ユニット３Ｂとの様子の一例を示した断面図である。図２０は、接触部４０が取り付けられた固定側ユニット３Ａと、筺体１１Ｂの出射面１３Ｂに埃３１が堆積された移動側ユニット３Ｂとの様子の別の一例を示した断面図である。図２０に示すように、移動側ユニット３Ｂの開閉の際に、移動側ユニット３Ｂの筺体１１Ｂの出射面１３Ｂに堆積された埃３１が接触部４０によって取り除かれる。これにより、開閉検出装置１０、１０Ｂの固定側ユニット３Ａに取り付けられた接触部４０により、開閉体Ｋ又は開閉体Ｌの開閉の際に、筺体１１Ｂの出射面１３Ｂの周囲に堆積された埃３１等を除去することができる。また、筺体１１Ｂの出射面１３Ｂの周囲を清潔にすることにより通信状態の悪化を抑制することができる。
【００９０】
また、接触部４０は、柔らかいブラシのような細い線状部材の集合体で構成されていることが好ましい。更に、接触部４０は、図２１又は図２２に示すような形状であることが好ましい。例えば、図２１では、接触部４０の形状は、略直方体を構成する。また、図２２では、接触部４０の形状は、移動側ユニット３Ｂの筺体１１Ｂの出射面１３Ｂを覆い隠すような径を有する略円柱を構成する。特に図２２に示す接触部４０は、筺体１１の出射面１３Ｂを覆い隠す径を有するため、外乱光の侵入も抑制することができる。これらの接触部４０を構成する各線状部材は、発光される光信号の波長域のみを透過する材料で構成されるのが好ましい。この場合、光信号の通信を阻害することがなく、埃３１の除去が確実になされる。
【００９１】
また、本発明の開閉検出装置１０、１０Ｂは、図２３〜図２６に示すように、非接触で電力を供給する給電部を固定側ユニット３Ａに備え、固定側ユニット３Ａから非接触で電力の供給を受けて内部配線６を介して電気錠装置５を動作するように制御する受電部を移動側ユニット３Ｂに備えても良い。図２３は、固定側ユニット３Ａに給電部、及び移動側ユニット３Ｂに受電部を備えた開き戸タイプの開閉検出装置１０の閉じている状態を示す図面である。図２４は、固定側ユニット３Ａに給電部、及び移動側ユニット３Ｂに受電部を備えた開き戸タイプの開閉検出装置１０の開いている状態を示す図面である。図２５は、図２３と同様の構成を備える引き戸タイプの開閉検出装置１０Ｂを示した図面である。図２６は、図２４と同様の構成を備える引き戸タイプの開閉検出装置１０Ｂを示した図面である。
【００９２】
図２３において、固定側ユニット３Ａは、扉枠１００に蝶番７を介して開閉自在に支持される扉２００に設けた移動側ユニット３Ｂに対して非接触で電力給電を行う。移動側ユニット３Ｂは、内部配線６を介して電気的に接続されている電気錠装置５へ電力供給を行って当該電気錠装置５の動作を制御する。図２３又は図２５に示すように、固定側ユニット３Ａには電源線を介して交流電源４が供給され、固定側ユニット３Ａの給電部と移動側ユニット３Ｂの受電部との間で電磁誘導が行われる。この結果、固定側ユニット３Ａから非接触で移動側ユニット３Ｂに電力が供給され、移動側ユニット３Ｂは当該供給された電力を電気錠装置５に供給する。また、図２４又は図２６に示すように、扉２００又はサッシ４００が開いている状態では、固定側ユニット３Ａから移動側ユニット３Ｂに対して非接触による電力給電は行われない。
【００９３】
また、図２５及び図２６に示すように、移動側ユニット３Ｂ及び電気錠装置５の間に蓄電池５００及び当該蓄電池５００に充電されている電力量を計測する電力メータ５０１が内部配線６を介して電気的に付加的に接続されても良い。この場合、固定側ユニット３Ａの給電部と移動側ユニット３Ｂの受電部との間で電磁誘導が行われた場合、固定側ユニット３Ａから非接触で移動側ユニット３Ｂに電力が供給され、移動側ユニット３Ｂは当該供給された電力を蓄電池５００に充電するように制御する。電力メータ５０１は、常時、蓄電池５００に充電されている電力を計測し、移動側ユニット３Ｂの制御部２２Ｂに出力する。電力メータ５０１により蓄電池５００の充電が完了したことが制御部２２Ｂに出力されたとき、移動側ユニット３Ｂの制御部２２Ｂは、当該蓄電池５００の充電が完了した旨を無線通信部２３Ｂの無線通信又は前述した光信号の通信により固定側ユニット３Ａの制御部２２Ａに通知する。このとき、固定側ユニット３Ａの制御部２２Ａは、給電部のスイッチをＯＦＦするように制御して、固定側ユニット３Ａと移動側ユニット３Ｂとの間で電磁誘導が行われないように制御する。また、蓄電池５００の充電が完了した場合には、固定側ユニット３Ａと移動側ユニット３Ｂとの間で電磁誘導が行われないため、蓄電池５００は内部配線６を介して電気的に接続されている電気錠装置５の動作を制御する。これにより、固定側ユニット３Ａと移動側ユニット３Ｂとの間で常時、電磁誘導が行われて移動側ユニット３Ｂに対して非接触による電力給電を行う必要がなくなる。すなわち、固定側ユニット３Ａで常時電流を流す必要がなくなり、開閉検出装置１０、１０Ｂ全体として電力の消費量を低くすることができる。
【符号の説明】
【００９４】
３Ａ  固定側ユニット
３Ｂ  移動側ユニット
４  交流電源
５  電気錠装置
６  内部配線
７  蝶番
１０、１０Ｂ  開閉検出装置
１１Ａ、１１Ｂ  筺体
１２Ａ  収光部
１２Ｂ  配光部
１３Ａ  入射面
１３Ｂ  出射面
１４Ａ  受光部
１４Ｂ  発光部
１５Ａ  受光素子
１５Ｂ  発光素子
１６Ａ  受光制御部
１６Ｂ  発光制御部
２０Ａ、２０Ｂ  ＲＯＭ
２１Ａ、２１Ｂ  ＲＡＭ
２２Ａ、２２Ｂ  制御部
２３Ａ、２３Ｂ  無線通信部
２４Ｂ  乱数発生部
２５Ａ  導光板
２６Ａ  鏡
３０Ａ  フィルタ部
３１  埃
３２  流入部
３３  流出部
４０、４１  接触部
１００  扉枠
２００  扉
３００  窓枠
４００  サッシ
５００  蓄電池
５０１  電力メータ
【図１】
2011127401.tif 000003
【図２】
2011127401.tif 000004
【図３】
2011127401.tif 000005
【図４】
2011127401.tif 000006
【図５】
2011127401.tif 000007
【図６】
2011127401.tif 000008
【図７】
2011127401.tif 000009
【図８】
2011127401.tif 000010
【図９】
2011127401.tif 000011
【図１０】
2011127401.tif 000012
【図１１】
2011127401.tif 000013
【図１２】
2011127401.tif 000014
【図１３】
2011127401.tif 000015
【図１４】
2011127401.tif 000016
【図１５】
2011127401.tif 000017
【図１６】
2011127401.tif 000018
【図１７】
2011127401.tif 000019
【図１８】
2011127401.tif 000020
【図１９】
2011127401.tif 000021
【図２０】
2011127401.tif 000022
【図２１】
2011127401.tif 000023
【図２２】
2011127401.tif 000024
【図２３】
2011127401.tif 000025
【図２４】
2011127401.tif 000026
【図２５】
2011127401.tif 000027
【図２６】
2011127401.tif 000028